(57)【特許請求の範囲】
【請求項１】
後端から端子が挿入される端子収容室をそれぞれに有した複数のコネクタハウジングを上下に積み重ねて相互に結合してなり、
重ね合わせた前記コネクタハウジングの合わせ壁のうち、一方のコネクタハウジングの合わせ壁と他方のコネクタハウジングの合わせ壁にそれぞれ位置をずらして挿入凹部が設けられると共に、前記一方のコネクタハウジングの合わせ壁と他方のコネクタハウジングの合わせ壁に、合体したときに対向する相手側のコネクタハウジングの合わせ壁に設けられた前記挿入凹部に挿入可能でそれぞれ仮係止位置から本係止位置まで挿入されることにより、相手側のコネクタハウジングの端子収容室に挿入された端子のくびれ部に係合して、該端子の後方への抜けを阻止する端子係止用凸部が設けられている合体コネクタであって、
前記少なくとも一方のコネクタハウジングに上下方向に複数段の端子収容室が設けられており、そのコネクタハウジングに合体される他方のコネクタハウジングの前記端子係止用凸部に、前記両コネクタハウジングが仮係止位置にあるときに、前記一方のコネクタハウジングの端子収容室への端子の挿入を許し、前記両コネクタハウジングが本係止位置にあるとき、前記一方のコネクタハウジングの端子収容室に挿入された端子を係止する係止壁部が、前記一方のコネクタハウジングの端子収容室の上下方向の段数分だけ設けられていることを特徴とする合体コネクタ。
【請求項２】
請求項１に記載の合体コネクタであって、
前記一方のコネクタハウジングと他方のコネクタハウジングに、両コネクタハウジングを仮係止位置に保持する仮係止手段と、両コネクタハウジングを本係止位置に保持する本係止手段とが設けられていることを特徴とする合体コネクタ。
【発明の詳細な説明】
【技術分野】
【０００１】
本発明は、複数のコネクタハウジングを上下に積み重ねて結合してなる合体コネクタに関するものである。
【背景技術】
【０００２】
図１４は、例えば、特許文献１に記載された合体コネクタを示している。この合体コネクタは、３つのコネクタ２１０、２２０、２３０を上下に積み重ねて一体に結合したものである。
【０００３】
各コネクタハウジング２１０Ａ、２２０Ａ、２３０Ａの端子収容室２４１には、後端から端子２５０が挿入されている。各端子２５０は、それぞれ端子収容室２４１内に設けられた可撓性のランス２４２が各端子２５０のランス係止凹部２５１に係合することで、後方へ抜けないように一次係止されている。
【０００４】
また、上段と中段のコネクタ２１０、２２０のコネクタハウジング２１０Ａ、２２０Ａの下面には、端子係止用凸部２１２、２２２が突設され、一方、中段と下段のコネクタ２２０、２３０のコネクタハウジング２２０Ａ、２３０Ａの上面には、上側のコネクタハウジング２１０Ａ、２２０Ａの下面に突設した端子係止用凸部２１２、２２２が挿入される挿入凹部２２１、２３１が設けられている。そして、コネクタ２１０、２２０、２３０の合体時に、端子係止用凸部２１２、２２２が挿入凹部２２１、２３１から進入して、予め端子収容室２４１に挿入された端子２５０のくびれ部２５２に係合することにより、端子２５０が後方へ抜けないように二次係止されている。
【０００５】
また、上段と中段のコネクタハウジング２１０Ａ、２２０Ａのランス２４２の下側は開放されており、各開放部分に、各下側のコネクタハウジング２２０Ａ、２３０Ａの上部壁２２３、２３３が嵌まることにより、ランス２４２の撓みを規制するようになっている。
【０００６】
また、図１５および図１６は、例えば、特許文献２に記載された合体コネクタを示している。この合体コネクタは、２つのコネクタ３１０、３２０を上下に積み重ね、更に最上部にカバー３３０を重ねて一体に結合したものである。上側のコネクタ３２０のハウジングの下面とカバー３３０の下面には端子係止用凸部３２２、３３２が設けられ、下側のコネクタ３１０のハウジングの上面と下側のコネクタ３１０のハウジングの上面には、それぞれ上側のコネクタ３２０の端子係止用凸部３２２とカバー３３０の端子係止用凸部３３２が進入する挿入凹部が設けられている。
【０００７】
そして、コネクタ３１０、３２０およびカバー３３０の合体時に、端子係止用凸部３２２、３３２が挿入凹部から進入して、予め端子収容室３１１、３２１に挿入された端子３５０のくびれ部に係合することにより、端子３５０が後方へ抜けないように係止されている。
【特許文献１】特開２００７−９５３６０号公報
【特許文献２】特開２００６−１９０４９６号公報
【発明の開示】
【発明が解決しようとする課題】
【０００８】
ところで、図１４に示した従来の合体コネクタでは、上段のコネクタ２１０の端子２５０の抜け止めを、ランス２４２の撓みを規制することで行っているだけなので、端子２５０に大きな抜け力が作用した場合に、ランス２４２が破損して、端子２５０が抜けてしまうおそれがある。
【０００９】
また、図１５および図１６に示した従来の合体コネクタでは、上側のコネクタ３２０の端子３５０の抜け止めを行うのに、カバー３３０に設けた端子係止用凸部３３２を使用しているので、コネクタ３１０、３２０以外にカバーが必須であり、部品点数が多いという問題がある。
【００１０】
本発明は、上記事情を考慮し、最少の部品点数で、どの段においても十分な端子保持力を発揮することのできる合体コネクタを提供することを目的とする。
【課題を解決するための手段】
【００１１】
請求項１の発明の合体コネクタは、後端から端子が挿入される端子収容室をそれぞれに有した複数のコネクタハウジングを上下に積み重ねて相互に結合してなり、重ね合わせた前記コネクタハウジングの合わせ壁のうち、一方のコネクタハウジングの合わせ壁と他方のコネクタハウジングの合わせ壁にそれぞれ位置をずらして挿入凹部が設けられると共に、前記一方のコネクタハウジングの合わせ壁と他方のコネクタハウジングの合わせ壁に、合体したときに対向する相手側のコネクタハウジングの合わせ壁に設けられた前記挿入凹部に挿入可能でそれぞれ仮係止位置から本係止位置まで挿入されることにより、相手側のコネクタハウジングの端子収容室に挿入された端子のくびれ部に係合して、該端子の後方への抜けを阻止する端子係止用凸部が設けられている合体コネクタであって、前記少なくとも一方のコネクタハウジングに上下方向に複数段の端子収容室が設けられており、そのコネクタハウジングに合体される他方のコネクタハウジングの前記端子係止用凸部に、前記両コネクタハウジングが仮係止位置にあるときに、前記一方のコネクタハウジングの端子収容室への端子の挿入を許し、前記両コネクタハウジングが本係止位置にあるとき、前記一方のコネクタハウジングの端子収容室に挿入された端子を係止する係止壁部が、前記一方のコネクタハウジングの端子収容室の上下方向の段数分だけ設けられていることを特徴としている。
【００１２】
請求項２の発明は、請求項１に記載の合体コネクタであって、前記一方のコネクタハウジングと他方のコネクタハウジングに、両コネクタハウジングを仮係止位置に保持する仮係止手段と、両コネクタハウジングを本係止位置に保持する本係止手段とが設けられていることを特徴としている。
【発明の効果】
【００１４】
請求項１の発明によれば、コネクタハウジングを合体した際に、相互に相手側のコネクタハウジングに設けた端子係止用凸部が、端子のくびれ部に係合することによって端子を抜け止めするので、余計なカバー等を必要とせずに、最少の部品点数で、どの段においても十分な端子保持力を発揮することができる。特に、コネクタハウジングを仮係止位置に保持した状態で、端子を各コネクタハウジングの端子収容室に挿入することができ、それからコネクタハウジングを本係止位置まで押し込むことにより、コネクタハウジングを合体させて、端子を抜け止め係止することができるので、合体コネクタの組み立てが容易にできる。
【００１５】
請求項２の発明によれば、コネクタハウジングを仮係止位置と本係止位置に区別して保持しておくことができるので、合体コネクタの組み立てが容易にできる。
【発明を実施するための最良の形態】
【００１７】
以下、本発明の実施形態を図面を参照しながら説明する。
【００１８】
図１は実施形態の合体コネクタの仮係止時の状態を示す外観斜視図、図２は同合体コネクタを構成する上側のコネクタハウジングの外観斜視図、図３は同上側のコネクタハウジングを裏返して見た外観斜視図、図４は前記合体コネクタを構成する下側のコネクタハウジングの外観斜視図、図５は図４のＶ−Ｖ矢視断面図、図６は上側と下側のコネクタハウジングを仮係止位置に保持した合体途中の状態を示す図４と同位置で見た断面図、図７は仮係止状態のときの別の位置で見た断面図、図８は仮係止状態のときの合体コネクタの後面図、図９は仮係止状態に保持された各コネクタハウジングに端子を挿入した状態を示す図７と同位置で見た断面図、図１０は仮係止状態から本係止した状態を示す合体コネクタの外観斜視図、図１１は本係止時の図６と同位置で見た断面図、図１２は本係止時の図９と同位置で見た断面図、図１３は本係止時の合体コネクタの後面図である。
【００１９】
図１および図１０に示すように、この合体コネクタは、上側のコネクタ１０と下側のコネクタ２０を、上下に積み重ねて相互に結合させたものである。各コネクタ１０、２０は、角箱状の合成樹脂製のコネクタハウジング１０Ａ、２０Ａの各端子収容室１１、２１に、図９に示すように、コネクタハウジング１０Ａ、２０Ａの後端から端子１１１、１２１を挿入することにより構成されている。
【００２０】
図７、図９に示すように、上側のコネクタハウジング１０Ａの端子収容室１１には可撓性を有したランス１９が設けられており、後方から挿入された端子１１１は、ランス１９が端子１１１の係止凹部１１１ｂに係合することで、後方へ抜け止め（一次係止）される。下側のコネクタハウジング２０Ａの端子収容室１１にも、図示しないが、必要に応じて同様の機能を発揮するランスが設けられている。
【００２１】
上側のコネクタハウジング１０Ａには、幅方向の中央部上面に、相手コネクタと嵌合した際にロックするロックアーム３０が設けられており、ロックアーム３０を設けた部分の両側に、２つずつ端子収容室１１が配置されている。これら上側のコネクタハウジング１０Ａの端子収容室１１は、同じ高さに横一列に並んでいる。また、下側のコネクタハウジング２０Ａには、上下２段に多数の端子収容室２１が配列されている。
【００２２】
合体したときに互いに当接する、上側のコネクタハウジング１０Ａの下面壁（合わせ壁）１２と下側のコネクタハウジング２０Ａの上面壁（合わせ壁）２２の前後方向の中央部には、図４および図７に示すように、それぞれ位置をずらして挿入凹部１６、２５が設けられると共に、図３および図７に示すように、相手側コネクタハウジングの各挿入凹部１６、２５に挿入される端子係止用凸部１５、２６が設けられている。
【００２３】
ここで、上側のコネクタハウジング１０Ａの挿入凹部１６とそれに挿入される下側のコネクタハウジング２０Ａの端子係止用凸部２６は、上側のコネクタハウジング１０Ａの端子収容室１１の位置に対応して設けられている。また、下側のコネクタハウジング２０Ａの挿入凹部２５とそれに挿入される上側のコネクタハウジング１０Ａの端子係止用凸部１５は、下側のコネクタハウジング２０Ａの端子収容室２１の位置に対応して設けられている。
【００２４】
即ち、上側のコネクタハウジング１０Ａの端子収容室１１は、数個が配置されているだけなので、上側のコネクタハウジング１０Ａの挿入凹部１６と下側のコネクタハウジング２０Ａの端子係止用凸部２６は、１個ずつ独立した穴とブロックのような形で設けられている。
【００２５】
また、下側のコネクタハウジング２０Ａの端子収容室２１は、多数個が横に配列されているので、下側のコネクタハウジング２０Ａの挿入凹部２５と上側のコネクタハウジング１０Ａの端子係止用凸部１５は、連続した溝や壁の形で設けられている。
【００２６】
端子係止用凸部１５、２６は、それぞれ仮係止位置から本係止位置まで挿入されることにより、相手側のコネクタハウジング２０Ａ、１０Ａの端子収容室２１、１１に挿入された端子１２１、１１１のくびれ部１１１ａ、１２１ａに係合して、該端子１２１、１１１の後方への抜けを阻止する機能を果たす部分（リテーナとしての機能を果たす部分）である。
【００２７】
また、下側のコネクタハウジング２０Ａには上下２段に端子収容室２１が形成されているので、上側のコネクタハウジング１０Ａの端子係止用凸部１５には、図３、図９に示すように、両コネクタハウジング１０Ａ、２０Ａが仮係止位置にあるときに、下側のコネクタハウジング２０Ａの端子収容室２１への端子１２１の挿入を許す開口部１５ｃと、両コネクタハウジング１０Ａ、２０Ａが本係止位置にあるときに、下側のコネクタハウジング２０Ａの上下段の端子収容室２１に挿入された端子１２１を一緒に同時に係止する２つの係止壁部１５ａ、１５ｂとが設けられている。
【００２８】
また、上側および下側のコネクタハウジング１０Ａ、２０Ａには、両コネクタハウジング１０Ａ、２０Ａを仮係止位置に保持する仮係止手段と、両コネクタハウジング１０Ａ、２０Ａを本係止位置に保持する本係止手段とが設けられている。これら係止手段は、コネクタハウジング１０Ａ、２０Ａの前側と後側に設けられている。
【００２９】
まず、図３に示すように、上側のコネクタハウジング１０Ａの前側係止手段として、壁状の端子係止用凸部１５の両端にＴ字状に連結された前側ロック板１４が設けられ、その前側ロック板１４の前後端縁に仮係止突起１４ａと本係止突起１４ｂとが設けられている。また、図４、図５、図６に示すように、下側のコネクタハウジング２０Ａの前側係止手段として、溝状の挿入凹部２５の両端にＴ字状に連結された前側ロック溝２４が設けられ、その前側ロック溝２４の前後内側縁に仮係止突起２４ａと本係止突起２４ｂとが設けられている。これらロック板１４側の仮係止突起１４ａおよび本係止突起１４ｂは、ロック溝２４側の仮係止突起２４ａおよび本係止突起２４ｂとそれぞれ係合することで、コネクタハウジング１０Ａ、２０Ａを仮係止位置と本係止位置にそれぞれ保持する。
【００３０】
また、図２〜図５、図８、図１３に示すように、上側のコネクタハウジング１０Ａの後側係止手段として、コネクタハウジング１０Ａの後端の幅方向両端には、下側に垂下された後側ロック板１３が設けられ、それら後側ロック板１３の内面側の先端に係止突起１３ａが設けられている。また、下側のコネクタハウジング２０Ａの後側係止手段として、コネクタハウジング２０Ａの後端の幅方向両端には、ロック板１３を受け入れる凹部２３が設けられており、その凹部２３の壁面に、ロック板１３側の係止突起１３ａが係合する仮係止溝２３ａと本係止溝２３ｂが設けられている。これらロック板１３側の係止突起１３ａは、凹部２３側の仮係止溝２３ａと係合することで、コネクタハウジング１０Ａ、２０Ａを仮係止位置に保持し、凹部２３側の本係止溝２３ｂと係合することで、コネクタハウジング１０Ａ、２０Ａを本係止位置に保持する。
【００３１】
ここでは、前側ロック板１４及び前側ロック溝２４の仮係止突起１４ａ、２４ａと後側ロック板１３の係止突起１３ａおよび仮係止溝２３ａとが仮係止手段に相当し、前側ロック板１４及び前側ロック溝２４の本係止突起１４ｂ、２４ｂと後側ロック板１３の係止突起１３ａおよび本係止溝２３ｂとが本係止手段に相当する。
【００３２】
次に組み立て手順について述べる。
【００３３】
まず、図６、図８、図９に示すように、上側のコネクタハウジング１０Ａと下側のコネクタハウジング２０Ａを上下に重ねて仮係止する。即ち、上側のコネクタハウジング１０Ａの後側ロック板１３の係止突起１３ａを下側のコネクタハウジング２０Ａの凹部２３の仮係止溝２３ａに係合させ、上側のコネクタハウジング１０Ａの前側ロック板１４の仮係止突起１４ａを下側のコネクタハウジング２０Ａのロック溝２４の仮係止突起２４ａに係合させる。このように仮係止することで、コネクタハウジング１０Ａ、２０Ａを離間しないように連結することができる。
【００３４】
この状態で、図９に示すように、各コネクタハウジング１０Ａ、２０Ａの端子収容室１１、２１に後端から端子収容室１１１、１２１を挿入する。下側のコネクタハウジング２０Ａの挿入凹部２５には、上側のコネクタハウジング１０Ａの端子係止用凸部１５が進入しているが、端子１２１を挿入する経路に開口部１５ｃが位置しているので、端子１２１を支障なく挿入することができる。
【００３５】
次に、端子１１１、１２１を挿入したら、上、下側のコネクタハウジング１０Ａ、２０Ａを本係止するように押し込む。そうすると、図１０〜図１３に示すように、上側のコネクタハウジング１０Ａの後側ロック板１３の係止突起１３ａが下側のコネクタハウジング２０Ａの凹部２３の本係止溝２３ｂに係合し、上側のコネクタハウジング１０Ａの前側ロック板１４の本係止突起１４ｂが下側のコネクタハウジング２０Ａのロック溝２４の本係止突起２４ｂに係合する。これにより、両コネクタハウジング１０Ａ、２０Ａは本係止状態となり、２つのコネクタ１０、２０が合体される。
【００３６】
この状態において、図１２に示すように、下側のコネクタハウジング２０Ａの端子係止用凸部２６は、上側のコネクタハウジング１０Ａの挿入凹部１６に深く進入して、端子収容室１１内に挿入された端子１１１のくびれ部１１１ａに係合する。また、上側のコネクタハウジング１０Ａの端子係止用凸部１５は、下側のコネクタハウジング２０Ａの挿入凹部２５に深く進入して、上下段の端子収容室２１内にそれぞれ挿入された端子１２１のくびれ部１２１ａに係合する。
【００３７】
このように、上、下側のコネクタハウジング１０Ａ、２０Ａを合体した際に、相互に相手側のコネクタハウジング１０Ａ、２０Ａに設けた端子係止用凸部１５、２６が、端子１１１、１２１のくびれ部１１１ａ、１２１ａに係合することによって端子１１１、１２１を抜け止めするので、余計なカバー等を必要とせずに、最少の部品点数で、どの段においても十分な端子保持力を発揮することができる。
【００３８】
また、本実施形態では、コネクタハウジング１０Ａ、２０Ａを仮係止位置と本係止位置に区別して保持しておくことができるので、合体コネクタの組み立てが容易にできる。また、コネクタハウジング１０Ａ、２０Ａを仮係止位置に保持した状態で、端子１１１、１２１を各コネクタハウジング１０Ａ、２０Ａの端子収容室１１、２１に挿入することができ、それからコネクタハウジング１０Ａ、２０Ａを本係止位置まで押し込むことにより、コネクタハウジング１０Ａ、２０Ａを合体させて、端子１１１、１２１を抜け止め係止することができるので、合体コネクタの組み立てが容易にできる。
【図面の簡単な説明】
【００３９】
【図１】本発明の実施形態の合体コネクタの仮係止状態を示す外観斜視図である。
【図２】同合体コネクタを構成する上側のコネクタハウジングの外観斜視図である。
【図３】同上側のコネクタハウジングを裏返して見た外観斜視図である。
【図４】前記合体コネクタを構成する下側のコネクタハウジングの外観斜視図である。
【図５】図４のＶ−Ｖ矢視断面図である。
【図６】上側と下側のコネクタハウジングを仮係止位置に保持した合体途中の状態を示す図４と同位置で見た断面図である。
【図７】仮係止状態のときの別の位置で見た断面図である。
【図８】仮係止状態のときの合体コネクタの後面図である。
【図９】仮係止状態に保持された各コネクタハウジングに端子を挿入した状態を示す図７と同位置で見た断面図である。
【図１０】仮係止状態から本係止した状態を示す合体コネクタの外観斜視図である。
【図１１】本係止時の図６と同位置で見た断面図である。
【図１２】本係止時の図９と同位置で見た断面図である。
【図１３】本係止時の合体コネクタの後面図である。
【図１４】従来の合体コネクタの断面図である。
【図１５】別の従来の合体コネクタの外観斜視図で、（ａ）は仮係止時の状態を示す斜視図、（ｂ）は本係止時の状態を示す斜視図である。
【図１６】同合体コネクタの断面図で、（ａ）は仮係止時の状態を示す断面図、（ｂ）は本係止時の状態を示す断面図である。
【符号の説明】
【００４０】
１１１，１２１  端子
１０，２０  コネクタ
１０Ａ，２０Ａ  コネクタハウジング
１１，２１  端子収容室
１２  下面壁（合わせ壁）
１３ａ  係止突起（仮係止手段、本係止手段）
１５，２５  端子係止用凸部
１５ａ，１５ｂ  係止壁部
１６，２６  挿入凹部
２２  上面壁（合わせ壁）
２３ａ  仮係止溝（仮係止手段）
２３ｂ  本係止溝（本係止手段）
【図１】
0005189860.tif 000002
【図２】
0005189860.tif 000003
【図３】
0005189860.tif 000004
【図４】
0005189860.tif 000005
【図５】
0005189860.tif 000006
【図６】
0005189860.tif 000007
【図７】
0005189860.tif 000008
【図８】
0005189860.tif 000009
【図９】
0005189860.tif 000010
【図１０】
0005189860.tif 000011
【図１１】
0005189860.tif 000012
【図１２】
0005189860.tif 000013
【図１３】
0005189860.tif 000014
【図１４】
0005189860.tif 000015
【図１５】
0005189860.tif 000016
【図１６】
0005189860.tif 000017